(57)【要約】【課題】従来の防音材では、木ネジが通る穴が内壁材と間柱とに連なることになる。即ち、木ネジが通る穴は内壁材、防音材および間柱に連通するものとなる。このため、隣室等の音が木ネジを伝わって、漏れてしまうことになり、十分な防音効果を得ることができない。【解決手段】建築物の防音材１では、防音材１を間柱に固定する木ネジ４３と、内壁材４５を防音材１に固定する木ネジ４７が別々であり、木ネジ４３、木ネジ４７のいずれも内壁材４５と間柱３９との間に連通していない。従って、所謂固体振動により音が伝わるのを防止することができ、しかも合成ゴム製のハウジングによって音は減衰させられるので、高い防音性能を発揮することができる。【選択図】　　　図３
2004143689.tif 000002
【特許請求の範囲】
【請求項１】
建築物の駆体と内装材との間に配置する防音材であって、弾性材料によって構成された管状部と、前記管状部の表板に設けられ画定部材によって画定された空間に形成された表側収容部と、前記管状部の裏板に設けられ画定部材によって画定された空間に形成された裏側収容部と、前記管状部に収容された芯材と、前記表側収容部に収容されネジ等の固定部材を保持できる材料によって構成される表側保持部材と、前記裏側収容部に収容されネジ等の固定部材を保持できる材料によって構成される裏側保持部材と、前記表側収容部を画定する画定部材、表側保持部材、管状部の表板および芯材を貫通する固定部材挿入穴とを有することを特徴とする建築物の防音材。
【請求項２】
請求項１に記載した建築物の防音材において、管状部、表側収容部および裏側収容部は弾性材料によって一体に成形されていることを特徴とする建築物の防音材。
【請求項３】
請求項１または２に記載した建築物の防音材において、表側収容室および裏側収容室を画定する画定部材には、表側保持部材および裏側保持部材を表側収容室および裏側収容室に収容するために通過させるスリットが形成されていることを特徴とする建築物の防音材。
【請求項４】
請求項３に記載した建築物の防音材において、固定部材挿入穴の一部がスリットによって構成されていることを特徴とする建築物の防音材。
【発明の詳細な説明】
【０００１】
【発明の属する技術分野】
本発明は建築物の防音材に係り、特に間柱等の駆体と内壁材との間に配置する建築物の防音材に関するものである。
【０００２】
【従来の技術】
従来、例えば建築物の間柱に内壁材を取り付ける場合、間柱と内壁材との間に合成ゴム等のブロックによって構成された防音材を介在させている。内壁材を間柱に固定するには、木ネジを内壁材の表面側からねじ込み、この木ネジは内壁材、防音材を貫通して間柱に到達させる。
【０００３】
【発明が解決しようとする課題】
しかしながら、上記従来の防音材では、木ネジが通る穴が内壁材と間柱とに連なることになる。即ち、木ネジが通る穴は内壁材、防音材および間柱に連通するものとなる。このため、隣室等の音が木ネジを伝わって漏れてしまうことになり、十分な防音効果を得ることができない。このように音は木ネジ等の固体を振動させて伝わる性質をもつため、内壁材と間柱との間だけでなく、床材を根太に木ネジによって固定する場合においても同様である。即ち、木ネジが床材、防音材および根太を貫通しているため、木ネジの固体振動によって音が伝わり上の階の音が階下へ漏れてしまい、十分な防音効果を得られないという問題がある。
【０００４】
本発明は上記した問題点に鑑みて為されたものであり、木ネジ等の固定部材の固体振動による音の伝わりを防止し、高い防音効果を発揮する建築物の防音材を提供することを目的とする。
【０００５】
【課題を解決するための手段】
この目的を達成するために、請求項１の発明に係る建築物の防音材は、建築物の駆体と内装材との間に配置する防音材であって、弾性材料によって構成され管状部と、前記管状部の表板に設けられた画定部材によって画定された空間に形成された表側収容部と、前記管状部の裏板に設けられ画定部材によって画定された空間に形成された裏側収容部と、前記管状部に収容された芯材と、前記表側収容部に収容されネジ等の固定部材を保持できる材料によって構成される表側保持部材と、前記裏側収容部に収容されネジ等の固定部材を保持できる材料によって構成される裏側保持部材と、前記表側収容部を画定する画定部材、表側保持部材、管状部の表板および芯材を貫通する固定部材挿入穴とを有することを特徴とするものである。
【０００６】
請求項２の発明に係る建築物の防音材は、請求項１または２に記載した建築物の防音材において、表側収容室および裏側収容室を画定する画定部材には、表側保持部材および裏側保持部材を表側収容室および裏側収容室に収容するために通過させるスリットが形成されていることを特徴とするものである。
【０００７】
請求項３の発明に係る建築物の防音材は、請求項１または２に記載した建築物の防音材において、表側収容室および裏側収容室を画定する画定部材には、表側保持部材および裏側保持部材を表側収容室および裏側収容室に収容するために通過させるスリットが形成されていることを特徴とするものである。
【０００８】
請求項４に係る建築物の防音材は、請求項３に記載した建築物の防音材において、固定部材挿入穴の一部がスリットによって構成されていることを特徴とするものである。
【０００９】
【発明の実施の形態】
以下に、本発明の実施の形態に係る建築物の防音材１を図面を参照しながら説明する。
符号３はハウジングを示し、このハウジング３は合成ゴムによって構成されている。ハウジング３は管状部５を有し、この管状部５は平板状の表板７、裏板９と側方へ湾曲する左側板１１、右側板１３とが一体に成形されて成る。
表板７、裏板９には画定部材１５、１７が設けられており、この画定部材１５、１７によって画定された空間に表側収容部１９、裏側収容部２０がそれぞれ形成されている。画定部材１５、１７は横断面形状がＬ字形であり、一片が表板７、裏板９に対し一体的に固着し、他方の片が間隔をあけて互いに対向している。即ち、画定部材１５、１７にスリット２１が設けられた構造となっている。
【００１０】
管状部５には発泡スチロール製の芯材２３が収容されている。この芯材２３は角柱状であり、その角部が左右の側板１１、１３の内面に当接して管状部５から容易に抜け落ちないようになっている。
表側収容部１９には耐水性のベニヤ板製の表側保持部材２５が収容されており、この保持部材２５は表板７に対し接着剤によって貼り付けられている。また、裏側収容部２０には耐水性のベニヤ板から成る裏側保持部材２６が収容されており、この裏保持部材２６は裏板９に対し接着剤によって貼り付けられている。
【００１１】
なお、表側保持部材２５、裏側保持部材２６は、画定部材１５、１７を左右に開き、スリット２１を拡げた状態とし、この状態でスリット２１を通過させて表側収容部１９、裏側収容部２０にそれぞれ収容する。
符号２７は固定部材挿入穴としてのネジ挿入穴を示し、このネジ挿入穴２７はハウジング３の長手方向に一定間隔で複数形成されている。このネジ挿入穴２７は、表側収容部１９側のスリット２１と表側保持部材２５、芯材２３を貫通する穴によって構成されている。即ち、本実施の形態に係る建築物の防音材１のネジ挿入穴２７は、その一部がスリット２１によって構成されている。
【００１２】
次に、この建築物の防音材１の使用方法について説明する。
図１に建築物の壁構造３１を示す。同図において符号３３は基礎を示し、この基礎３３の上には土台３５が設けられている。土台３５には駆体としての柱３７および間柱３９が所定の間隔で備えられ、柱３７および間柱３９には胴縁４１が渡されて所定の間隔で配置されている。
【００１３】
まず、建築部材の防音材１を柱３７、間柱２９に固定部材としての木ネジ４３によって固定する。即ち、木ネジ４３をネジ挿入穴２７へ挿入し、その先端部をハウジング３の裏板９に当接させる。そして、電動ドライバー等の工具を用いて、木ネジ４３を裏板９、裏側保持部材２６および間柱３９（または柱３７）にねじ込む。
図３、図５に示すように木ネジ４３はハウジング３の裏板９、裏側保持部材２６、スリット２１を貫通し、その先端部が間柱３９にねじ込まれて、建築物の防音材１が間柱３９に取り付けられる。裏側保持部材２６はねじ込まれた木ネジ４３を保持することができる耐水ベニヤ板によって構成されているので、建築物の防音材１は間柱３９に確実に固定される。この木ネジ４３をねじ込む作業は、ネジ挿入穴２７の数だけ行い、防音材１を柱３７および複数の間柱３９にそれぞれ固定する。
【００１４】
次いで、吸音材４０を防音材１どうしの間に配置した後、図１に示すように内壁材４５を柱３７および間柱３９に固定した建築物の防音材１に宛がい、固定部材としての木ネジ４７の先端部を内壁材４５に当接させる。この木ネジ４７を当接させる位置は、上記の木ネジ４３をねじ込んだ位置から外して、木ネジ４７が木ネジ４３と重複しないようにする。そして、電動ドライバー等の工具を用いて、木ネジ４７を内壁材４５、表側保持部材２５およびハウジング３の表板９にねじ込む。
図３、図５に示すように木ネジ４７は内壁材４５、スリット２１、表側保持部材２５を貫通し、その先端部がハウジング３の表板７に到達する。表側保持部材２５は、ねじ込まれた木ネジ４７を保持することができる耐水性のベニヤ板によって構成されているので、内壁材４５を建築物の防音材１に確実に固定され、この防音材１を介して内壁材４５は間柱３９に取り付けられる。
なお、管状部５に芯材２３が収容されているので、管状部５は不用意に変形することなく、上記の取付作業をスムーズに行うことができる。
【００１５】
この建築物の防音材１では、防音材１を間柱３９に固定する木ネジ４３と、内壁材４５を防音材１に固定する木ネジ４７が別々であり、木ネジ４３、木ネジ４７のいずれも内壁材４５と間柱３９との間に連通していない。従って、所謂固体振動により音が伝わるのを防止することができ、しかも合成ゴム製のハウジングによって音は減衰させられ、しかも吸音材４０が吸音効果を発揮するので、高い防音性能を発揮することができる。
また、この建築物の防音材１は、間柱３９（または柱３７）に木ネジ４３を用いて固定し、次いで、間柱３９に固定した防音材１に内壁材４５を木ネジ４７によって固定するだけなので、施工を簡単に行うことができる。この施工法は、防音材１を床材と根太との間に配置する場合においても同様なので、特殊な取り付け方をする従来の防音材と異なり、特に階下への音の伝わりを防止する床の防音工事の施工を容易に行う上で有効である。
【００１６】
以上、本発明の実施の形態について詳述してきたが、具体的構成は、この実施の形態に限られるものではなく、本発明の要旨を逸脱しない範囲における設計の変更などがあっても本発明に含まれる。
例えば、上記実施の形態では、内壁材と間柱（柱）との間に本発明の防音材を備える場合を示したが、本発明はこれに限定されず、床材と根太との間に本発明の防音材を配置してもよい。
【００１７】
また、ハウジングは合成ゴムによって構成したが、シリコーン等他の合成樹脂や、その他の柔軟材料によって構成してもよい。
保持部材は耐水性のベニヤ板の他、耐水性のベニヤ板以外の木材や合成樹脂によって構成してもよい。
さらに、芯材は発泡スチロールの他、木材や他の合成樹脂によって構成することも可能である。
また、上記実施の形態では、画定部材１５、１７にスリット２１を設ける構成とし、このスリット２１をネジ挿入穴２７の位置としたが、スリット２１を設けず、画定部材１５、１７が一体に繋がった構造にして、繋がっている画定部材に木ネジ４３を挿入するための穴を形成してもよい。
なお、固定部材は木ネジの代わりに、釘を用いることも可能である。
【００１８】
【発明の効果】
以上のように、本発明の建築物の防音材によれば、木ネジ等の固定部材の固体振動による音の伝わりを防止し、高い防音効果を得ることができる。
【図面の簡単な説明】
【図１】本発明の実施の形態に係る建築物の防音材の取り付け作業を説明するための壁構造の斜視図である。
【図２】本発明の実施の形態に係る建築物の防音材斜視図である。
【図３】本発明の実施の形態に係る建築物の防音材の縦断面図である。
【図４】図３のＡ−Ａ断面図である。
【図５】図３のＢ−Ｂ断面図である。
【符号の説明】
１　建築物の防音材　　　　　　３　ハウジング
５　管状部　　　　　　　　　　７　表板
９　裏板　　　　　　　　　　１１　左側板
１３　右側板　　　　　　　　　１５、１７　画定部材
１９　表側収容部　　　　　　　２０　裏側収容部
２１　スリット　　　　　　　　２３　芯材
２５　表側保持部材　　　　　　２６　裏側保持部材
２７　ネジ挿入穴　　　　　　　３１　壁構造
３５　土台　　　　　　　　　　３７　柱
３９　間柱　　　　　　　　　　４０　吸音材
４１　胴縁　　　　　　　　　　４３　木ネジ
４５　内壁材　　　　　　　　　４７　木ネジ
【図１】
2004143689.tif 000003
【図２】
2004143689.tif 000004
【図３】
2004143689.tif 000005
【図４】
2004143689.tif 000006
【図５】
2004143689.tif 000007